(57)【要約】  【課題】  センサライトの人体検知センサが侵入者を検知したときに、屋内の電話機あるいは外部の電話機から生の声を出力したり、電話機のトーン信号で遠隔操作によりセンサライトを点滅させたり警報音を発生させたりするなどの、使用者独自の威嚇動作を行えるようにすることにより、センサライトによる防犯効果を向上させる。【解決手段】  予め設定された範囲内で人体の存在を検知すると、制御部２１を介して夜間に照明具１７を点灯させたり警報音を発生したりする防犯機能を備えた屋外型センサライト１において、コードレス電話機の子機機能２２を組み込むことにより、コードレス親機３０に備えた外線電話番号記憶部により予め記憶させた緊急通報先電話番号の外部電話機３２への自動通報およびこの外部電話機３２またはコードレス親機３０とセンサライト１側子機２２との双方向交信を可能にしている。【選択図】      図１
2008251202.tif 000002
【特許請求の範囲】
【請求項１】
予め設定された範囲内で人体の存在を検知すると、制御部を介して照明具を点灯させたり警報音を発生したりする防犯機能を備えた屋外型センサライトにおいて、
コードレス電話機の子機機能を組み込むことにより、コードレス親機に備えた外線電話番号記憶部により予め記憶させた緊急通報先電話番号の外部電話機あるいは前記コードレス親機への自動通報および、前記外部電話機または前記コードレス親機と前記センサライト側子機との双方向交信を可能にしたことを特徴とするセンサライト。
【請求項２】
前記子機機能に自動着信機能をもたせ、前記コードレス親機あるいは前記外部電話機のダイヤルボタン操作により、前記子機機能および前記制御部を介してＤＴＭＦ信号で前記センサライトの防犯機能を操作できるようにしたことを特徴とする請求項１に記載のセンサライト。
【請求項３】
前記防犯機能として、強制的に前記センサライトの照明具を点灯させたりフラッシングさせたり警報音を発生させたりすることを含むことを特徴とする請求項１または２に記載のセンサライト。
【請求項４】
前記防犯機能として、前記外部電話機あるいは前記コードレス親機を通して送出する音声を前記センサライトに備えたスピーカから発生させることを含むことを特徴とする請求項１または２に記載のセンサライト。
【請求項５】
前記センサライトに備えたマイクを通じて集音する音声を、前記外部電話機あるいは前記コードレス親機から聞き取れるようにしたことを特徴とする請求項１〜４のいずれかに記載のセンサライト。
【発明の詳細な説明】
【技術分野】
【０００１】
本発明は、人体の存在を検知して照明具を点灯させるセンサライトに関する。
【背景技術】
【０００２】
この種のセンサライトは、照明具に人体検知センサと明暗センサとを組み合わせたものが一般的で、夜間に予め設定した人体検知範囲内に人が侵入すると、これを自動的に検知して照明具を予め設定した時間だけ点灯させるものである。また、昼間は明暗センサにより照明具への電力の供給を断つので、夜間にだけ照明具を点灯させる。その他、警報手段を備え、照明具の連続点灯や点滅照明だけでなく、警報音を鳴らすものもある。なお、上記のような従来のセンサライト７０は、図８に示すように交流１００Ｖのコンセントに電源プラグ７７を差し込んで使用されるもので、電源プラグ７７に一端が接続された電源コード７７ａが照明具（ライト）７１に点灯（ON/OFF）スイッチ７４を介して接続されている。電源コード７７ａは点灯スイッチ７４と電源プラグ７７間で分岐されて電源部７６に接続されている。点灯スイッチ７４は制御部７５に接続されており、人体検知センサ７３が人体を検知すると、制御部７５を介して点灯スイッチ７４がＯＮになり、ライト７１が点灯し、同時に制御部７５を介して警報音出力回路７２から警報音が出力される。
【０００３】
さらに、センサライトが人体を検知して点灯すると、室内の受信機に人体検知の情報を通報したり、警告灯を点灯したりして通報する自動通報機能を備えた装置がある。こうした従来のセンサライト８０は、図９に示すように、図８に示す従来のセンサライト７０の基本構成部材７１〜７７を備えており、さらに無線式の発信機８１を備え、人体検知センサ７３が人体を検知すると制御部７５を介して発信機８１から受信機８２へアンテナを介して警報信号を発信し、受信機８２から例えば侵入者があった旨の人体検知情報が通報されるものである。
【０００４】
センサライトに関する先行技術に、人体検知部と検知信号が入力されてから所定の時間だけ信号を出力するタイマー部と、タイマー部からの信号が入力されている間だけ作動する照明灯駆動部と、照明灯駆動部により連続点灯する照明灯と、照明灯が消灯する直前の一定時間だけ照明灯を点滅させるための制御信号を照明灯駆動部へ送る制御部、あるいは、音・ 光のいずれか、または両方を発生する報知部へ制御信号を送る制御部を備えた構成の装置が提案されている（例えば、特許文献１参照）。
【特許文献１】実開平７−３０４９７号公報
【発明の開示】
【発明が解決しようとする課題】
【０００５】
上記した従来のセンサライトでは、例えば侵入者（人体）を検知すると、照明具を点灯して侵入者を照射したり、警報音を発したりするが、これらだけでは威嚇効果が小さい。また、人体を検出してから一定時間、照明を点滅動作をさせるものがあるが、点滅動作だけでは、侵入者に与える威嚇効果は限られている。
【０００６】
つまり、センサライトが点灯したり、点滅したり、警報音を発したりしても、侵入者には屋内から監視されている（見られている）という意識を十分に与えられていないので、威嚇的な効果が低いと考えられる。
【０００７】
本発明はかかる観点に鑑みなされたもので、センサライトの人体検知センサが人体（侵入者）を検知したときに、屋内の電話機あるいは外部の電話機から生の声を出力したり、電話機のトーン信号で遠隔操作によりセンサライトを点滅（フラッシング）させたり警報音を発生させたりするなどの、使用者（ユーザ）独自の威嚇動作を行えるようにすることにより、センサライトによる防犯（セキュリティ）効果を向上させることを目的としている。
【課題を解決するための手段】
【０００８】
上記の目的を達成するために本発明（請求項１）にかかるセンサライトは、予め設定された範囲内で人体の存在を検知すると、制御部を介して照明具を点灯させたり警報音を発生したりする防犯機能を備えた屋外型センサライトにおいて、コードレス電話機の子機機能を組み込むことにより、コードレス親機に備えた外線電話番号記憶部により予め記憶させた緊急通報先電話番号に該当する外部電話機あるいは前記コードレス親機への自動通報および、前記外部電話機または前記コードレス親機と前記センサライト側子機との双方向交信を可能にしたことを特徴とする。
【０００９】
請求項２に記載のように、前記子機機能に自動着信機能をもたせ、前記コードレス親機あるいは前記外部電話機のダイヤルボタン操作により、前記子機機能および前記制御部を介してＤＴＭＦ信号で前記センサライトの防犯機能を操作できるようにすることが好ましい。
【００１０】
請求項３に記載のように、前記防犯機能として、強制的に前記センサライトの照明具を点灯させたりフラッシングさせたり警報音を発生させたりすることができる。
【００１１】
請求項４に記載のように、前記防犯機能として、前記外部電話機あるいは前記コードレス親機を通して送出する音声を前記センサライトに備えたスピーカから発生させることができる。
【００１２】
請求項５に記載のように、前記センサライトに備えたマイクを通じて集音する音声を、前記外部電話機あるいは前記コードレス親機から聞き取れるようにすることができる。
【発明の効果】
【００１３】
・請求項１記載のセンサライトによれば、例えば不法侵入者に対し照射光や警報音による威嚇に加えて、屋内や外出先から肉声で威嚇することができ、不法侵入者に対し行動を監視されているとの意識をもたせられるので、防犯効果が極めて高い。しかも、使用者(ユーザ）は屋内に待機した状態あるいは外出先で、センサライト取付場所の周辺の状況を音声で確認しながら、状況に応じて肉声で威嚇できるため、威嚇効果が向上するうえに、侵入者には接触しなくて済むので、安全性が図られる。また、親機は内線通話で済み、また外部電話機についてもコードレス親機と公衆回線側との接続は、アダプタを介してＩＰ電話やＩＳＤＮなどからより安価な電話会社を選択でき、経済的である。
【００１４】
・請求項２記載のセンサライトによれば、外出先から点灯スイッチを入れたり、センサライト取付場所周辺の状況を音声で確認したり、警報音発生手段をＯＮ／ＯＦＦしたりする際に、センサライトの防犯機能を直接に遠隔操作できるので、非常に便利である。
【００１５】
・請求項３記載のセンサライトによれば、従来のセンサライトのようなライトの点滅や警報のように通り一遍の威嚇機能と違って、使用者による独自の威嚇力を発揮できるので、不法侵入者に対する威嚇効果が非常に高い。
【００１６】
・請求項４記載のセンサライトによれば、外出先や屋内から肉声や例えばサイレンなどあらゆる種類の音声を使って不法侵入者などを威嚇でき、心理的に強烈な印象を与えられるので、防犯効果が極めて高い。
【００１７】
・請求項５記載のセンサライトによれば、外出先の電話機や屋内のコードレス親機により、侵入者等に接触せずに子機機能を通じてセンサライト取付場所の周辺の状況を音声を通じて確認でき、安全性が極めて高いうえに、その状況に応じて肉声で威嚇するだけでなく、電話機のダイヤルボタン等でトーン信号などによりセンサライトの防犯機能を操作して照射光を点灯させたり点滅させたりして効果的な威嚇もできる。
【発明を実施するための最良の形態】
【００１８】
以下、本発明にかかるセンサライトの実施の形態について図面に基づいて説明する。
【００１９】
図１は本発明のセンサライトについての実施例を示すブロック図である。この図１に示すように、本例のセンサライト１は防水構造からなる屋外型で、家屋の外壁やベランダなどに取り付けて使用される。交流１００Ｖのコンセントに電源プラグ２４を差し込んで使用されるもので、電源プラグ２４に一端が接続された電源コード２４ａが照明具１７としての電球（ライト）に点灯（ON/OFF）スイッチ２０を介して接続されている。電源コード２４ａは点灯スイッチ２０と電源プラグ２４間で分岐されて電源部２３に接続されており、電源部２３では内蔵の整流器（図示せず）により直流に変換され、制御部２１およびコードレス電話機の子機機能（以下、子機または子機本体ともいう）２２を含む各回路へ供給される。点灯スイッチ２０は、通常、制御部２１を通じて操作される。
【００２０】
センサライト１は人体検知センサ１８および明暗センサ（図示せず）ならびに警報音発生手段を備えており、警報音発生手段は警報音出力回路１９のほか、アンプ回路２５およびスピーカ２６からなる。人体検知センサ１８および明暗センサならびに警報音出力回路１９は、それぞれ制御部２１に接続され、また制御部２１は点灯スイッチ２０と接続されている。制御部２１は後述するフローチャート（図２〜図７）に示す操作手順からなるプログラムを書き込んだＣＰＵからなり、コードレス子機本体２２とも接続されている。このコードレス子機本体２２には、マイク２９と音声入力回路（フィルターおよび増幅）２８とで構成される音声入力手段が接続され、また音声出力回路（復調した音声を出力）２７と上記アンプ回路２５およびスピーカ２６とで構成される音声出力手段が接続されている。したがって、アンプ回路２５およびスピーカ２６は、コードレス子機本体２２側の音声出力手段とセンサライト１側の警報音発生手段とに共通する。また、制御部２１はコードレス子機本体２２との間で双方向の制御が可能で、コードレス子機本体２２を通じてトーン信号（ＤＴＭＦ(Daial Tone Multi Frequency)信号）によって制御される構成になっている。
【００２１】
一方、コードレス電話機のコードレス親機３０は屋内に設置され、電話線にて公衆回線網３１に接続されている。また、親機３０は子機本体２２とともにアンテナを備えており、アンテナを介して双方向で無線にて交信可能である。さらに、子機本体２２からの発信機能により親機３０および公衆回線網３１を経由して、親機３０に備えられた外線電話番号記憶部(図示せず）に予め記憶させた電話番号（複数も可能）の固定電話機あるいは携帯電話機など、本例では外出先電話機３２へ自動発信して通報できる。
【００２２】
そのほかに親機３０は、親機制御用ＣＰＵ（主制御部）３３と、子機本体２２との通話ボタン３４（センサライト１側からの呼出に対し、親機３０から肉声（使用者の生の声）等で威嚇する場合に押すためのボタン）と、外出先電話機３２への通報用の警報を停止するための停止ボタン３５と、親機３０からセンサライト１に対し防犯機能（ライト点灯・フラッシング・警報音発生など）を強制制御するためのセンサライト呼出ボタン３６とを備えている。さらに、警報音出力回路３７と、アンプ回路（音声および警報音増幅用）３８とスピーカ３９からなる音声出力手段と、音声入力回路（フィルターおよび増幅）４０およびマイク４１とからなる音声入力手段と、音声切替スイッチ回路（センサライト側子機２２・親機３０・外出先電話機３２からの各音声の切替）４２と、各回路への電源部（直流に変換）４３と、ＡＣ１００Ｖ用の電源コンセント４４に一端が接続された電源コード４４ａと、電話系回路部（アナログ回路）４５と、この電話系回路部４５および主制御部３３に接続されて電話番号等のデータを入力するダイヤルボタン４６とを備えている。なお、親機３０には、主制御部３３に接続された液晶パネルなどの表示部（図示せず）を設ける場合がある。
【００２３】
以上のようにして構成される本発明の実施例に係るセンサライト１について動作を図１に基づいて説明する。
【００２４】
センサライト１の人体検知センサ１８が侵入者を検知すると、制御部２１を介して点灯スイッチ２０をＯＮに切り替え、照明具１７を点灯させる。同時に制御部２１を介してコードレス子機機能２２により人体検知センサ１８の検知信号を変調し、アンテナ間を無線でコードレス親機３０へ送信する。コードレス親機３０は検知した信号を受信すると、警報音を発生し、同時に外線電話番号記憶部に予め登録されている外出先（あるいは緊急連絡先の複数を含む場合がある）電話機３２へ公衆回線網３１を経由して自動的に発信して電話をかけて通報する。
【００２５】
外出先電話機３２の受話器が取られ通話状態になると、センサライト１側のコードレス子機本体２２に接続される。この状態で、センサライト１のマイク２９から周辺の音が音声入力回路２８で増幅され、子機本体２２で変調されて親機３０に送信され、公衆回線網３１を介して外出先電話機３２の受話器で周辺の音声を確認可能な状態になる。そこで、例えば使用者が外出先電話機３２のマイクに向かって肉声を発すると、公衆回線網３１・親機３０を経由して子機本体２２へ送信され、子機本体２２でその音声が復調され、音声出力回路２７を経由してアンプ回路２５で増幅され、センサライト１のスピーカ２６から使用者の肉声が出力される。なお、外出先の電話機３２が受話状態になると、コードレス親機３０から発生する警報音およびセンサライト１から発生する警報音は自動的に停止する。
【００２６】
また、コードレス親機３０側においてその通話ボタン３４を押せば、親機３０からセンサライト１のスピーカ２６を通して使用者が音声で直接に威嚇することもできる。さらに、外出先の電話機３２から自宅のセンサライト１の子機本体２２に対し自動（強制）着信させ、センサライト１のマイク２９を通して周辺の音を聞いて様子を確認したり、センサライト１のスピーカ２６を通して音声で威嚇したりすることもできる。また、外出先の電話機３２からダイヤルボタン（図示せず）を操作し、ＤＴＭＦ信号により制御部２１を介してセンサライト１の照明具１７を点灯させたり、フラッシングさせたり、スピーカ２６から警報音を発生させたりすることもできる。
【００２７】
次に、上記実施例に係るセンサライト１の防犯機能についてコードレス電話機を介した制御処理工程の一連の手順を示すフローチャートに基づいて説明する。
【００２８】
図２はセンサライト１の子機機能２２と外出先の電話機３２との接続処理手順の一例を示すフローチャート、図３は外出先の電話機３２とセンサライト１の子機本体２２との通話処理工程の一例を示すフローチャート、図４は親機３０とセンサライト１の子機本体２２との通話処理手順の一例を示すフローチャートである。
【００２９】
上記の防犯制御処理（電話機間のリンク処理を含む）は、予め用意したプログラムをコードレス親機３０の主制御部３３あるいはコードレス子機機能２２の制御部２１が遂行することで実行される。また、各図に示されるフローチャートの処理は所定周期で繰り返し実行される。
【００３０】
まず、センサライト１のコードレス子機機能２２と外出先の電話機３２との接続処理について、図２に示すように、スタートである待機状態（ステップＳ１）において、センサライト１の人体検知センサ１８が侵入者を検知する(ステップＳ２）と、ライト点灯スイッチ２０と警報出力回路１９がＯＮになって（ステップＳ３）、タイマー(図示せず）で設定した時間(例えば２０秒）だけスピーカ２６から警報音を発生し、また夜間であれば照明具（ライト）１７が点灯する。このとき子機２２はアンテナ間を経由して無線で親機３０へ通話信号を送信し、親機３０を呼び出す（ステップＳ４）。
【００３１】
一方、親機３０はスタートである待機状態（ステップＳ１０１）において子機２２からの呼出信号を受信し、その信号が登録されたＩＤかを判断し、登録されたＩＤであると、子機２２へ応答信号を発信する（ステップＳ１０２）。そして、子機２２が応答信号を受信すると、親機３０と子機２２間で通話可能な状態となり、いわゆるリンク成立となる。
【００３２】
親機３０では警報音がスピーカ３９から１分間出力される（ステップＳ１０３）。外線番号記憶部（図示せず）に予め登録された外出先の電話機３２の番号を自動的にダイヤルし（ステップＳ１０４）、呼び出す（ステップＳ１０５）。外出先の電話機３２と通話状態になったか否かを判定し（ステップＳ１０６）、ＮＯであれば通話ボタン３４を押したか否かを判定する（ステップＳ１０７）、ステップＳ１０７がＮＯであれば、１分間経過したか否かを判定する（ステップＳ１０８）。そして、このステップＳ１０８がＮＯであればステップＳ１０６へ戻り、ＹＥＳであれば警報音の発生を停止する（ステップＳ１０９）。続いて、次の登録先があるか否かを判定し（ステップＳ１１０）、ＹＥＳであればステップＳ１０４へ戻り、ＮＯであれば、呼出終了信号を送信して（ステップＳ１１１）、コードレス子機２２とのリンクが切断され、一連の処理が終了する（ステップＳ１１２）。また上記ステップＳ１０６でＹＥＳであれば、外出先の電話機３２に通話信号を送信する（ステップＳ１１３）。さらに上記ステップＳ１０８でＹＥＳであれば子機２２へ通話信号を送信する（ステップＳ１１４）。
【００３３】
親機３０とのリンク成立後、センサライト１のコードレス子機２２はコードレス親機３０を介して外出先の電話機３２からの通話信号を受信したか否かを判定し（ステップＳ５）、ＮＯであれば親機３０からの通話信号を受信したか否かを判定する（ステップＳ６）。このステップＳ６がＮＯであれば、親機３０からの呼出終了信号を受信したか否かを判定する（ステップＳ７）が、ステップＳ７がＮＯであればステップＳ５へ戻る。そして、ステップＳ７がＹＥＳであれば、コードレス親機３０とのリンクが切断され、一連の処理が終了する（ステップＳ８）。
【００３４】
また上記ステップＳ５でＹＥＳであれば、図３に示すように外出先電話機３２との間で通話状態になる（ステップＳ１０）。さらに上記ステップＳ６でＹＥＳであれば、図４に示すように親機３０との間で通話状態になる（ステップＳ１１）。
【００３５】
次に、図３に示すように外出先の電話機３２−子機２２が通話状態になる（ステップＳ１０）と、子機２２が警報音発生中の場合は警報音が停止し（ステップＳ１２）、音声出力回路１９および音声入力回路２０がＯＮになる（ステップＳ１３）。外出先の電話機３２との通話状態が保たれたまま（ステップＳ１４）、３分経過したか否かが判定される（ステップＳ１５）。そして、ステップＳ１５がＮＯであれば、終話制御信号を受信したか否かが判定され（ステップＳ１６）、ＮＯであればステップＳ１５へ戻り、ＹＥＳであれば次のステップＳ１７へ移り、音声出力回路２７・音声入力回路２８およびライト点灯スイッチ２０がそれぞれＯＦＦになる。そして、親機３０とのリンクが切断され、一連の処理が終了する（ステップＳ１８）。また、ステップＳ１５でＹＥＳであれば、ステップＳ１６を飛ばしてステップＳ１７へ移る。
【００３６】
一方、親機３０では警報音発生中の場合は警報音を停止し（ステップＳ１１５）、外出先の電話機３２へセンサライト１の子機本体２２から呼出メッセージを送出する（ステップＳ１１６）。次に外出先の電話機３２との通話状態がＯＦＦになったか否かが判定され（ステップＳ１１７）、ＮＯであれば、停止ボタン３５を押したか否かが判定される（ステップＳ１１８）。このステップＳ１１８がＮＯであれば３分経過したか否かが判定される（ステップＳ１１９）。ＮＯであれば、ステップＳ１１７へ戻り、ステップＳ１１７でＹＥＳの場合あるいはステップＳ１１８でＹＥＳの場合には、ステップＳ１２０へそれぞれ移動する。ステップＳ１２０では終話制御信号を子機２２へ送信する。そして、子機２２とのリンクが切断され、一連の処理が終了する（ステップＳ１２１）。
【００３７】
次に、図４に示すように親機３０−子機２２が通話状態になる（ステップＳ１１）と、子機２２が警報音発生中の場合は警報音を停止し（ステップＳ１２’）、親機３０との通話状態が保たれたまま音声出力回路２７および音声入力回路２８がそれぞれＯＮになる（ステップＳ１３’）。次に３分経過したか否かが判定される（ステップＳ１５’）。そして、ＮＯであれば、終話制御信号を受信したか否かが判定され（ステップＳ１６’）、ステップＳ１６’がＮＯであればステップＳ１５’へ戻り、ＹＥＳであれば次のステップＳ１７’へ移り、音声出力回路２７・音声入力回路２８およびライト点灯スイッチ２０がそれぞれＯＦＦになる。そして、親機３０とのリンクが切断され、一連の処理が終了する（ステップＳ１８’）。また、ステップＳ１５’でＹＥＳであれば、ステップＳ１６’を飛ばしてステップＳ１７’へ移る。
【００３８】
一方、親機３０では警報音発生中の場合は警報音を停止し（ステップＳ１１５’）、センサライト１の子機２２との通話状態が保たれたまま、音声出力回路３７および音声入力回路４０がそれぞれＯＮになる（ステップＳ１１６’）。次に通話ボタン３４を押したか否かが判定され（ステップＳ１１８’）、ＮＯであれば３分経過したか否かが判定される（ステップＳ１１９’）。ステップＳ１１９’がＮＯであればステップＳ１１８’へ戻り、ステップＳ１１８’がＹＥＳの場合あるいはステップＳ１１９’でＹＥＳの場合には、ステップＳ１２０’へそれぞれ移る。ステップＳ１２０’では終話制御信号を子機２２へ送信する。そして、音声切替スイッチ４２および音声入力回路４０がそれぞれＯＦＦになり（ステップＳ１２２）、子機２２とのリンクが切断され、一連の処理が終了する（ステップＳ１２３）。
【００３９】
図５は外出先の電話機３２からのセンサライト１の防犯機能の強制制御処理工程の一例を示すフローチャート、図６は親機３０からのセンサライト１の防犯機能の強制制御処理工程の一例を示すフローチャートである。
【００４０】
まず、外出先の電話機３２から行い得るセンサライト１の防犯機能の強制制御処理は、図５に示すように、親機３０の待機状態（ステップＳ１５１）において、外出先の電話機３２からセンサライト１の子機２２を呼び出す（ステップＳ１５２）と、親機３０は無線で子機２２へ通話信号を送信し、子機２２とのリンク制御を行う（ステップＳ１５３）。
【００４１】
一方、センサライト１側の子機２２は待機状態（ステップＳ５１）において外出先の電話機３２からの呼出信号を受信し、その信号が登録されたＩＤかを判断し、登録されたＩＤであると、親機３０を通じて外出先の電話機３２へ応答信号を発信してリンク制御を行う（ステップＳ５２）。そして、外出先の電話機３２が応答信号を受信すると、外出先の電話機３２と子機２２間で通話可能な状態となり、リンク成立となる。
【００４２】
外出先の電話機３２からの呼出が停止したか否かを判定（ステップＳ１５４）し、ＮＯであれば設定回数呼出コールしたか否かを判定する（ステップＳ１５５）．ＮＯならばステップＳ１５４へ戻り、ＹＥＳであれば通話状態となって通話成立信号を外出先の電話機３２へ送出する（ステップＳ１５６）。
【００４３】
一方、センサライト１側の子機２２では呼出停止信号を受信したか否かを判定（ステップＳ５３）し、ＮＯであれば通話成立信号を受信したか否かを判定（ステップＳ５４）する。ＮＯであればステップＳ５３へ戻り、ＹＥＳであれば音声入力回路２８がＯＮになる（ステップＳ５５）。そして、外出先の電話機３２から制御トーン信号を受信可能な状態となる。ここで、外出先の電話機３２のダイヤルボタンの操作でセンサライト１に対し防犯機能（ライト点灯、フラッシング、警報音発生）を操作し得る（ステップＳ５６）。続いて終話信号を受信したか否かを判定（ステップＳ５７）し、ＮＯであればステップＳ５５の後へ戻るので、繰り返し防犯機能を操作し得るが、ＹＥＳであればリンクが切断され、一連の処理が終了する（ステップＳ５８）。
【００４４】
ここで、親機３０側では外出先の電話機３２からの回線が切断されたか否かを判定（ステップＳ１５８）し、ＮＯであればステップＳ１５６の後へ戻って外出先の電話機３２から制御トーン信号を受信可能な状態に保持されるが、ＹＥＳであれば次に終話信号が送信され（ステップＳ１５９）、リンクが切断され、一連の処理が終了する（ステップＳ１６０）。なお、外出先の電話機３２から呼出が停止したか否かを判定（ステップＳ１５４）し、ＹＥＳであれば終話信号が送信され（ステップＳ１５７）、リンクが切断され、一連の処理が終了する（ステップＳ１６０）。また、子機２２側で呼出停止信号を受信したか否かを判定（ステップＳ５３）し、ＹＥＳであればリンクが切断され、一連の処理が終了する（ステップＳ５８）。
【００４５】
次に、親機３０から行い得るセンサライト１の防犯機能の強制制御処理は、図６に示すように、親機３０の待機状態（ステップＳ１６１）において、親機３０のセンサライト１の子機２２の呼出ボタン３６を押す（ステップＳ１６２）と、親機３０は無線で子機２２へ通話信号を送信し、子機２２を呼び出して子機２２とのリンク制御を行う（ステップＳ１６３）。
【００４６】
一方、センサライト１の子機２２は待機状態（ステップＳ６１）において親機３０からの呼出信号を受信し、その信号が登録されたＩＤかを判断し、登録されたＩＤであると、親機３０へ応答信号を発信して親機３０とのリンク制御を行う（ステップＳ６２）。そして、親機３０が応答信号を受信すると、通話可能な状態となり、リンク成立となる。
【００４７】
親機３０側ではセンサライト１の子機２２との通話状態が保たれたまま、音声切替スイッチ４２および音声入力回路４０がそれぞれＯＮになる（ステップＳ１６４）。次に親機３０のダイヤルボタン４６でセンサライト１に対し防犯機能（ライト点灯、フラッシング、警報音発生）の遠隔操作を行うための制御トーン信号を送信（ステップＳ１６５）し、３分経過したか否かが判定される（ステップＳ１６６）。ＮＯであれば通話ボタン３４を押したか否かが判定され（ステップＳ１６７）、ステップＳ１６７がＮＯであればステップＳ１６５へ戻り、ステップＳ１６７でＹＥＳであれば終話制御信号を子機２２へ送信する（ステップＳ１６８）。そして、音声切替スイッチ４２および音声入力回路４０がそれぞれＯＦＦになり（ステップＳ１６９）、子機２２とのリンクが切断され、一連の処理が終了する（ステップＳ１７０）。また、ステップＳ１６６で３分経過してＹＥＳの場合にも、同様に音声切替スイッチ４２および音声入力回路４０がそれぞれＯＦＦになり（ステップＳ１６９）、子機２２とのリンクが切断され、一連の処理が終了する（ステップＳ１７０）。
【００４８】
センサライト１の子機２２側では、音声入力回路２８がＯＮになる（ステップＳ６３）。そして、親機３０から制御トーン信号を受信可能な状態となる（ステップＳ６４）。ここで、親機３０のダイヤルボタン４６の操作により、制御トーン信号に応じてセンサライト１に対し防犯機能（ライト点灯、フラッシング、警報音発生）が実行される（ステップＳ６５）。続いて３分経過したか否かが判定される（ステップＳ６６）。ＮＯであれば終話信号を受信したか否かが判定（ステップＳ６７）されるが、ＮＯであればステップＳ６４へ戻って繰り返し防犯制御操作が行われる。一方、上記ステップＳ６６でＹＥＳの場合およびステップＳ６７でＹＥＳの場合は、音声出力回路２７・音声入力回路２８およびライト点灯スイッチ２０がそれぞれＯＦＦになる（ステップＳ６８）。そして、親機３０とのリンクが切断され、一連の処理が終了する（ステップＳ６９）。
【００４９】
図７は各防犯制御信号のフローで、音声威嚇は図７（ａ）のように音声出力回路２７のON／OFFで、センサライト１のON／OFFは図７（ｂ）のようにライト点灯スイッチ２０のON／OFFで行われる。ライトフラッシングは図７（ｃ）のようにライト点灯スイッチ２０のONにおいてフラッシングスイッチON／OFFで、警報出力は図７（ｄ）のように警報音出力回路１９のON／OFFで行われる。
【００５０】
以上に本発明のセンサライトに関する一実施形態について説明したが、下記のように実施することができる。
【００５１】
・屋外に電話回線の入出力部がある場合には、センサライト１に直接電話機の機能を組み込むことで、コードレス電話機によらず、直接に外出先の電話機３２との接続が可能になるため、本発明を適用できる。
【００５２】
・センサライト１に携帯電話機の機能を組み込むことによって、完全な無線方式で、本発明を適用できる。
【００５３】
・上記実施例におけるアナログ方式のコードレス電話機に代えて、デジタル方式のコードレス電話機を使用すれば、センサライト１にテレビカメラを搭載し、映像によって屋外の取付場所を確認することが可能になる。
【図面の簡単な説明】
【００５４】
【図１】本発明のセンサライトについての実施例を示すブロック図である。
【図２】センサライト１の子機機能２２と外出先の電話機３２との接続処理手順の一例を示すフローチャートである。
【図３】外出先の電話機３２とセンサライト１の子機本体２２との通話処理手順の一例を示すフローチャートである。
【図４】親機３０とセンサライト１の子機本体２２との通話処理手順の一例を示すフローチャートである。
【図５】外出先の電話機３２からのセンサライト１の防犯機能の強制制御処理手順の一例を示すフローチャートである。
【図６】親機３０からのセンサライト１の防犯機能の強制制御処理手順の一例を示すフローチャートである。
【図７】各防犯制御信号のフローである。
【図８】従来のセンサライト７０の構成を示すブロック図である。
【図９】従来の無線通報機能付きセンサライト８０の構成を示すブロック図である。
【符号の説明】
【００５５】
１  センサライト
１７  照明具（ライト）
１８  人体検知センサ
１９  警報音出力回路
２０  点灯（ON/OFF）スイッチ
２１  制御部(ＣＰＵ）
２２  コードレス子機本体(子機機構・子機）
２３  電源部
２４  電源プラグ
２５  アンプ回路
２６  スピーカ
２７  音声出力回路（復調した音声を出力）
２８  音声入力回路（フィルターおよび増幅）
２９  マイク
３０  コードレス親機
３１  公衆回線網
３２  外出先電話機
３３  親機制御用ＣＰＵ（主制御部）
３４  通話ボタン
３５  停止ボタン
３６  呼出ボタン
３７  警報音出力回路
３８  アンプ回路（音声および警報音増幅用）
３９  スピーカ
４０  音声入力回路（フィルターおよび増幅）
４１  マイク
４２  音声切替スイッチ回路
４３  電源部
４４  ＡＣ１００Ｖ用電源コンセント
４５  電話系回路部（アナログ回路）
４６  ダイヤルボタン
【図１】
2008251202.tif 000003
【図２】
2008251202.tif 000004
【図３】
2008251202.tif 000005
【図４】
2008251202.tif 000006
【図５】
2008251202.tif 000007
【図６】
2008251202.tif 000008
【図７】
2008251202.tif 000009
【図８】
2008251202.tif 000010
【図９】
2008251202.tif 000011